(57)【要約】【課題】太陽電池パネルが設置される屋根に位置や個数の自由度高く雪止め具を設けることができる雪止め構造を提供する。【解決手段】雪止め構造の雪止め具１を、軒側に配されている太陽電池パネルＰの棟側の端辺を保持している第一枠体２０ａの上面部２１に当接し第一枠体に係止されている第一枠係止部１０と、第一枠係止部から下方に延出し第一枠体の側面部２２に当接している第一側壁部１１と、第一側壁部の下端から、棟側に配されている太陽電池パネルの軒側の端辺を保持している第二枠体２０ｂに向かって延出している基部１２と、基部の端部に接続され、第二枠体の側面部２２に沿って延出している第二側壁部１３と、第二側壁部の下端から第二枠体の底面部２３に沿って延出している下端部１４と、第一枠係止部から上方に延出している雪止め部１５とを、具備する構成とする。【選択図】図３
2015168941.tif 000002
【特許請求の範囲】
【請求項１】
太陽電池パネルが設置された屋根上に雪止め具が取り付けられている雪止め構造であって、
屋根上に隣接して配されている太陽電池パネルの内、軒側に配されている太陽電池パネルの棟側の端辺を保持している第一枠体、及び、棟側に配されている太陽電池パネルの軒側の端辺を保持している第二枠体が、それぞれの底面部より下方に空隙が形成されるように屋根面に固定されており、
前記雪止め具は、
前記第一枠体の上面部に当接し前記第一枠体に係止されている第一枠係止部と、
該第一枠係止部から下方に延出し前記第一枠体の側面部に当接している第一側壁部と、
該第一側壁部の下端から前記第二枠体に向かって延出している基部と、
該基部の端部に接続され、前記第二枠体の側面部に沿って延出している第二側壁部と、
該第二側壁部の下端から前記第二枠体の底面部に沿って延出している下端部と、
前記第一枠係止部から上方に延出している雪止め部とを具備する
ことを特徴とする雪止め構造。
【請求項２】
前記雪止め具の前記基部の端部は、前記第二側壁部の下端より上方で前記第二側壁部に接続されている
ことを特徴とする請求項１に記載の雪止め構造。
【請求項３】
底面が平面となった第一枠係止部と、
該第一枠係止部の一端から下方に延出しており、前記第一枠係止部側が平面となった第一側壁部と、
該第一側壁部の下端から前記第一枠係止部とは反対の方向に延出している基部と、
該基部の端部に接続されており、前記第一側壁部と平行に延出していると共に前記第一側壁部とは反対側が平面となった第二側壁部と、
該第二側壁部の下端から前記基部とは反対の方向に延出しており、上面が平面となった下端部と、
前記第一枠係止部から上方に延出している雪止め部と
を具備することを特徴とする雪止め具。
【請求項４】
前記雪止め部の上端から前記雪止め部に対して屈曲して延出しているつまみ部を、更に具備する
ことを特徴とする請求項３に記載の雪止め具。
【発明の詳細な説明】
【技術分野】
【０００１】
本発明は、太陽電池パネルが設置された屋根の雪止め構造、及び、該雪止め構造に使用される雪止め具に関するものである。
【背景技術】
【０００２】
屋根上に積もった雪が屋根面を滑り落ち、軒先から落下することを抑止するために、降雪のある地方では傾斜した屋根に雪止めのための構造を設けるのが一般的である。太陽電池パネルが設置された屋根においてもその要請があり、太陽電池パネルの外周縁を保持する枠体に、雪止めを一体に形成したものが存在する。しかしながら、枠体に雪止めが一体に形成されていると、雪止めが破損したときに枠体全体を取り換える必要がある。また、雪止めを有する枠体と、雪止めの必要がない屋根に設置される太陽電池パネル用の枠体とを、別個に製造する必要がある。
【０００３】
一方、太陽電池パネルを屋根に固定するための部材を介して、雪止めを設けることが提案されている（特許文献１参照）。特許文献１の技術では、屋根上に間隔をあけて平行に並設された長尺の桟材（レール）に、隣接して配される太陽電池パネルの枠体を載置し、二つの枠体間に配した支持部材によって枠体を桟材に固定している。そして、支持部材には、枠体間で支持部材を被覆するカバーが取り付けられており、このカバーと一体に雪止めが設けられている。これにより、雪止めの必要のない屋根に太陽電池パネルを設置する場合と、共通の枠体を使用できる利点がある。
【０００４】
しかしながら、特許文献１の技術では、雪止めが支持部材を介して桟材に取り付けられているため、雪止めの設置位置が桟材上に限定されてしまう上に、雪止めの数も桟材の数に制限されてしまう。雪の滑落のしやすさは、積雪量、屋根の傾斜の大きさ、屋根の流れ方向の長さ、屋根が向いている方向など、種々の条件によって相違する。また、隣家の敷地や公共の道路に面した屋根など、雪の滑落を防止する重要度の高い屋根と、それほどではない屋根とがある。そのため、太陽電池パネルが設置される屋根に雪止めを設けることができ、且つ、雪止めの設置位置や設置個数の自由度が高い技術が要請されていた。
【先行技術文献】
【特許文献】
【０００５】
【特許文献１】特許第３７７６６３１号公報
【発明の概要】
【発明が解決しようとする課題】
【０００６】
そこで、本発明は、上記の実情に鑑み、太陽電池パネルが設置される屋根に設置位置や設置個数の自由度高く雪止め具を設けることができる雪止め構造、及び、該雪止め構造に使用される雪止め具の提供を、課題とするものである。
【課題を解決するための手段】
【０００７】
上記の課題を解決するため、本発明にかかる雪止め構造は、「太陽電池パネルが設置された屋根上に雪止め具が取り付けられている雪止め構造であって、屋根上に隣接して配されている太陽電池パネルの内、軒側に配されている太陽電池パネルの棟側の端辺を保持している第一枠体、及び、棟側に配されている太陽電池パネルの軒側の端辺を保持している第二枠体が、それぞれの底面部より下方に空隙が形成されるように屋根面に固定されており、前記雪止め具は、前記第一枠体の上面部に当接し前記第一枠体に係止されている第一枠係止部と、該第一枠係止部から下方に延出し前記第一枠体の側面部に当接している第一側壁部と、該第一側壁部の下端から前記第二枠体に向かって延出している基部と、該基部の端部に接続され、前記第二枠体の側面部に沿って延出している第二側壁部と、該第二側壁部の下端から前記第二枠体の底面部に沿って延出している下端部と、前記第一枠係止部から上方に延出している雪止め部とを具備する」ものである。
【０００８】
「雪止め部」としては、第一枠係止部において第一側壁部との境界となる端部から上方に延出している構成、その反対側の第一枠係止部の端部から上方に延出している構成、第一枠係止部において両端部の間から上方に延出している構成、を例示することができる。
【０００９】
「基部の端部に接続されている第二側壁部」としては、基部の端部から上下方向に延出している第二側壁部、基部の端部から下方のみに延出している第二側壁部、基部の端部から上方のみに延出している第二側壁部、を例示することができる。
【００１０】
本構成の雪止め構造では、雪止め具は、第一枠係止部が第一枠体の上面部に当接し第一枠に係止されていることにより、重力による落下が防止されている。ただし、第一枠係止部から下方に延びている第一側壁部からは、第一枠係止部とは反対側に向けて基部が延びており、更にその先には第二側壁部と下端部を有しているため、この部分に作用する重力によって、雪止め具には上部が第二枠体側に傾くように力が作用する。この方向に作用する力に対しては、第二枠体の側面部に沿って延出している第二側壁部が、第二枠体の側面部に当接することによって抗する。従って、本構成における雪止め具は、ビスや釘等で留め付けることを要することなく、第一枠体及び第二枠体によって保持される。
【００１１】
そして、第一枠体及び第二枠体によって保持された雪止め具においては、第一枠体の上面部に当接している第一枠係止部から上方に雪止め部が延出しているため、雪止め部は当然に第一枠体及び第二枠体の上面部よりも高く延出している。従って、このような構成の雪止め部によって、太陽電池パネル上の積雪の滑落が抑止される。
【００１２】
また、積雪時には雪止め部の第二枠体側の面が積雪を受け止めるため、雪止め具には上部が第一枠体側に傾くように力が作用する。この方向に作用する力に対しては、第一枠体の側面部に当接している第一側壁部が抗すると共に、第二枠体の底面部に沿って延出している下端部が、第二枠体の底面部に当接することによって抗する。従って、雪止め具に積雪の荷重が加わっても、第一枠体及び第二枠体に保持されている雪止め具の姿勢が、安定的に維持される。
【００１３】
上記のように、本構成の雪止め構造によれば、雪止め具が第一枠体及び第二枠体によって保持されているため、太陽電池パネルを屋根上に設置するために第一枠体及び第二枠体を屋根面に固定するための部材とは無関係に、雪止め具を設置することできる。これにより、太陽電池パネルが設置される地域の降雪量、屋根の傾斜、屋根の長さ、屋根が向いている方向、雪の滑落を防止する重要度など、種々の条件に応じて、高い自由度で雪止め具の設置位置や設置個数を設定することができる。
【００１４】
本発明にかかる雪止め構造は、上記構成において、「前記雪止め具の前記基部の端部は、前記第二側壁部の下端より上方で前記第二側壁部に接続されている」ものとすることができる。
【００１５】
上部が第二枠体側に傾くように雪止め具に外力が作用したとき、上述のように雪止め具の第二側壁部が第二枠体の側面部に当接してこれに抗する。換言すれば、基部を介して第二側壁部に伝達された力を、第二枠体の側面部が受け止める。本構成では、基部の端部が第二側壁部の下端より上方で第二側壁部に接続されているため、基部を介して第二側壁部の全体に力が伝達され易い。これにより、雪止め具に作用し第二側壁部に伝達された力を第二枠体の側面部が受け止め易く、雪止め具をより安定的に保持することができる。
【００１６】
次に、本発明にかかる雪止め具は、「底面が平面となった第一枠係止部と、該第一枠係止部の一端から下方に延出しており、前記第一枠係止部側が平面となった第一側壁部と、該第一側壁部の下端から前記第一枠係止部とは反対の方向に延出している基部と、該基部の端部に接続されており、前記第一側壁部と平行に延出していると共に前記第一側壁部とは反対側が平面となった第二側壁部と、該第二側壁部の下端から前記基部とは反対の方向に延出しており、上面が平面となった下端部と、前記第一枠係止部から上方に延出している雪止め部とを具備する」ものである。
【００１７】
これは、上記の雪止め構造に使用される雪止め具である。すなわち、第一枠係止部において平面となった底面が第一枠体の上面部に当接して第一枠体に係止され、第一側壁部における平面が第一枠体の側面部に当接する。そして、第二側壁部における平面が、上部が第二枠体側に傾くように雪止め具に外力が作用したときに第二枠体の側面部に当接し、下端部において平面となった上面が、上部が第一枠体側に傾くように雪止め具に外力が作用したときに第二枠体の底面部に当接する。
【００１８】
これにより、本構成の雪止め具は第一枠体及び第二枠体によって保持されるため、太陽電池パネルを屋根上に設置するために第一枠体及び第二枠体を屋根面に固定するための部材とは無関係に、太陽電池パネルが設置された屋根上に設置することできる。従って、雪止め具の設置位置や設置個数を、高い自由度で設定することができる。
【００１９】
本発明にかかる雪止め具は、上記構成に加えて、「前記雪止め部の上端から前記雪止め部に対して屈曲して延出しているつまみ部を、更に具備する」ものとすることができる。
【００２０】
「つまみ部」の形状としては、雪止め部に対して直角に屈曲している形状、雪止め部に対して直角とは異なる角度で屈曲している形状、を例示することができる。また、つまみ部が屈曲している方向は、基部側であっても、その反対側であっても良い。
【００２１】
本構成の雪止め具におけるつまみ部は、雪止め部の上端から屈曲させたのみの簡易な構成である。そして、雪止め具がつまみ部を有していることにより、雪止め具を第一枠体及び第二枠体に取り付ける際に雪止め具を指先でつかみ易く、取り付け作業が行い易い。特に、雪止め部の上端に設けられたつまみ部は、雪止め具の全体においても上端に位置している。詳細は後述するように、雪止め具の各部の長さを、第一枠体及び第二枠体の高さや両者間の間隔に応じた設定とすることにより、第一枠体と第二枠体との間隙に上方から雪止め具を挿入して、第一枠体及び第二枠体に雪止め具を取り付けることが可能である。従って、第一枠体と第二枠体との間隙に雪止め具を挿入する操作を、雪止め具における上端に位置するつまみ部を持って行うことができるため、その操作がし易く、効率良く雪止め具を取り付けることができる。
【発明の効果】
【００２２】
以上のように、本発明の効果として、太陽電池パネルが設置される屋根に設置位置や設置個数の自由度高く雪止め具を設けることができる雪止め構造、及び、該雪止め構造に使用される雪止め具を、提供することができる。
【図面の簡単な説明】
【００２３】
【図１】本発明の第一実施形態である雪止め具の（ａ）斜視図、及び（ｂ）背面側から見た斜視図である。
【図２】（ａ），（ｂ）共に図１の雪止め具の第一枠体及び第二枠体への取り付けを説明する断念図である。
【図３】（ａ）図１の雪止め具を使用した雪止め構造の断面図、及び（ｂ）図１の雪止め具の正面図である。
【図４】（ａ）本発明の第二実施形態である雪止め具を使用した雪止め構造の断面図、及び（ｂ）図４（ａ）の雪止め具の正面図である。
【図５】（ａ）本発明の第三実施形態である雪止め具を使用した雪止め構造の断面図、（ｂ）図５（ａ）の雪止め具の第一枠体及び第二枠体への取り付けを説明する断念図、及び、（ｃ）図５（ａ）の雪止め具の正面図である。
【図６】太陽電池パネルを保持する第一枠体及び第二枠体を、固定部材を介して桟材に固定した状態を例示する断面図である。
【発明を実施するための形態】
【００２４】
以下、本発明の第一実施形態である雪止め具１、及び、雪止め具１を使用した雪止め構造について、図１乃至図３を用いて説明する。
【００２５】
雪止め具１は、底面が平面となった第一枠係止部１０と、第一枠係止部１０の一端から下方に延出しており、第一枠係止部１０側が平面となった第一側壁部１１と、第一側壁部１１の下端から第一枠係止部１０とは反対の方向に延出している基部１２と、基部１２の端部に接続されており、第一側壁部１１と平行に延出していると共に第一側壁部１１とは反対側が平面となった第二側壁部１３と、第二側壁部１３の下端から基部１２とは反対の方向に延出しており、上面が平面となった下端部１４と、第一枠係止部１０から上方に延出している雪止め部１５とを、具備している。また、雪止め具１は、雪止め部１５の上端から雪止め部１５に対して屈曲して延出しているつまみ部１６を、更に具備している。
【００２６】
より詳細に説明すると、第一枠係止部１０は細長い平板状で、長辺の一方から下方に向かって直角に、平板状の第一側壁部１１が延出している。第一側壁部１１の下端からは、第一枠係止部１０とは反対の方向に向かって直角に、平板状の基部１２が延出している。基部１２の端部は、第一側壁部１１と平行に延びている平板状の第二側壁部１３に、その高さ方向の中途の位置で接続されている。また、第二側壁部１３の下端からは、基部１２とは反対側の方向に直角に、平板状の下端部１４が延出している。更に、第一枠係止部１０において第一側壁部１１との境界となる端部から上方に向かって、すなわち第一側壁部１１を延長した面上に平板状の雪止め部１５が延出している。雪止め部１５の上端からは、第一枠係止部１０とは反対の方向に直角に、平板状のつまみ部１６が延出している。
【００２７】
なお、第一枠係止部１０の幅（第一側壁部１１側の端部から、その反対側の端部までの距離）は、第一枠体２０ａの幅より僅かに長く設定されており、第一枠係止部１０において第一側壁部１１側とは反対側の端部には、下方に向かって突出した突起部１７が形成されている。
【００２８】
また、図３（ｂ）に示すように、第一側壁部１１の長さＬ１と、第二側壁部１３において基部１２との接続線より下方の長さＮ１との和Ｌ１＋Ｎ１は、第一枠体２０ａ及び第二枠体２０ｂの高さ（側面部２２の上端と下端との距離）より長く設定され、具体的には僅かに長く（例えば、＋０．５ｍｍ〜＋２ｍｍ）設定されている。加えて、第一側壁部１１と基部１２との境界線（以下、「基線Ｐ」と称する）と第二側壁部１３の上端との長さＲ１は、第一枠体２０ａと第二枠体２０ｂとの間の距離（互いの側面部２２間の距離）より短く設定され、具体的には僅かに短く（例えば、−０．５ｍｍ〜−２ｍｍ）設定されている。
【００２９】
なお、上記構成の雪止め具１は、金属により一体成形されている。このような雪止め具１は、例えば、押出成形によって形成された、軸方向に直交する断面が単一形状の長尺材を、所望の長さに切断することにより製造することができる。
【００３０】
次に、雪止め具１を第一枠体２０ａ及び第二枠体２０ｂに取り付けることにより、本実施形態の雪止め構造を構築する方法について、主に図２及び図３を用いて説明する。
【００３１】
ここで、雪止め具１が取り付けられる第一枠体２０ａ及び第二枠体２０ｂは、同一の構成であり、雪止め具１との位置関係においてのみ区別されるものである。より具体的には、第一枠体２０ａ及び第二枠体２０ｂはそれぞれ、上下に延びている平板状の側面部２２と、側面部２２の上端から直角に延出している上面部２１と、側面部２２の下端から上面部２１と同一の方向に延出している底面部２３と、上面部２１より下方で上面部２１と同一の方向に側面部２２から延出しており、上面部２１との間で太陽電池パネルＰの端辺を保持する下保持部２４と、側面部２２と平行に延び下保持部２４と底面部２３とを連結している連結部２５とを備えている。なお、第一枠体２０ａ及び第二枠体２０ｂはそれぞれ、軸方向に直交する断面が単一形状の長尺材であり、例えば、金属の押出成形によって形成することができる。
【００３２】
雪止め構造の構築に際しては、まず、それぞれ上面部２１と下保持部２４との間に太陽電池パネルＰを保持した第一枠体２０ａ及び第二枠体２０ｂを、底面部２３の下方に空隙が形成される状態で屋根面に固定する。
【００３３】
次に、雪止め具１を取り付ける。まず、第一枠係止部１０を第一枠体２０ａ側に向け、下端部１４を下方に向けた状態で、雪止め具１を第一枠体２０ａと第二枠体２０ｂとの間隙の上方に位置させる。そして、基線Ｐが第一枠体２０ａの側面部２２の延長面上にほぼ位置する状態で、基線Ｐを回転中心として雪止め具１を回転させ、下端部１４の先端が第一枠体２０ａの側面部２２の延長面と干渉しない角度以上に雪止め具１を傾ける（図２（ａ）における実線または一点鎖線を参照）。上記のように、基線Ｐと第二側壁部１３の上端との長さＲ１は、第一枠体２０ａと第二枠体２０ｂとの間の距離より短いため、基線Ｐを回転中心として雪止め具１を回転させて下端部１４の先端と第二枠体２０ｂの側面部２２との干渉を回避したときに、第二側壁部１３の上端についても第一枠体２０ａの側面部２２との干渉が回避される。
【００３４】
この状態の雪止め具１を下降させて、第一枠体２０ａと第二枠体２０ｂとの間隙に挿入する（図２（ｂ）の一点鎖線を参照）。そして、基線Ｐが、第一枠体２０ａの側面部２２の上端から距離Ｌ１だけ下方の位置に達した時点で、基線Ｐを回転中心として雪止め具１を上部が第一枠体２０ａに近づく方向に回転させ（図２（ｂ）の実線を参照）、第一枠係止部１０を第一枠体２０ａの上面部２１に当接させると共に、第一側壁部１１を第一枠体２０ａの側面部２２に当接させる。これにより、第一枠係止部１０が第一枠体２０ａに係止される。
【００３５】
これと同時に、基部１２を介して第一側壁部１１に接続されて第一側壁部１１と平行に延びている第二側壁部１３が、第一枠体２０ａの側面部２２に沿った状態となると共に、第二側壁部１３の下端から基部１２とは反対側の方向に直角に延出している下端部１４が、第一枠体２０ａの底面に沿った状態となる。本実施形態では、基線Ｐと第二側壁部１３の上端との長さＲ１は、第一枠体２０ａと第二枠体２０ｂとの間の距離より僅かに短い設定であるため、第二側壁部１３は第一枠体２０ａの側面部２２にごく近接して、側面部２２に沿った状態となる。また、Ｌ１＋Ｎ１の長さが第一枠体２０ａ及び第二枠体２０ｂの高さより僅かに長い設定であるため、下端部１４は第一枠体２０ａの底面部２３にごく近接して、底面部２３に沿った状態となる（図３（ａ）参照）。
【００３６】
なお、上記の方法とは異なり、雪止め具１の下端部１４の先端を第二枠体２０ｂの底面部２３より低い位置まで下降させたら（図２（ｂ）の一点鎖線を参照）、それ以降は、基線Ｐを回転中心として雪止め具１を上部が第一枠体２０ａに近づく方向に回転させながら、第一枠体２０ａの側面部２２に沿って基線Ｐを下方にスライドさせることによっても、第一枠係止部１０を第一枠体２０ａの上面部２１に当接させると共に、第一側壁部１１を第一枠体２０ａの側面部２２に当接させることができる。このようにすることにより、下端部１４が図１乃至図３に例示した長さより長い場合、第一枠体２０ａ及び第二枠体２０ｂの高さが両者間の間隔に対して例示した長さより長い場合、第一枠体２０ａ及び第二枠体２０ｂの高さに対する第一側壁部の長さの割合が例示した長さより長い場合等であっても、第一枠体２０ａ及び第二枠体２０ｂの間隙に上方から挿入して、雪止め具１を取り付けることができる。
【００３７】
換言すれば、下端部１４の先端が第二枠体２０ｂの側面部２２と干渉しない角度まで雪止め具１を傾け、基線Ｐを第一枠体２０ａの側面部２２に沿わせて雪止め具１を下降させたとき、雪止め具１をこれ以上傾けることができない状態、すなわち、第一側壁部１１または雪止め部１５が第二枠体２０ｂの側壁部２２の上端に接した状態で、下端部１４の先端が第二枠体２０ｂの底面部２３より低く位置するような長さの設定であり、基線Ｐと第二側壁部１３の上端との長さＲ１が第一枠体２０ａと第二枠体２０ｂとの間の距離より短い設定であれば、第一枠体２０ａ及び第二枠体２０ｂの間隙に上方から挿入して、雪止め具１を取り付けることができる。
【００３８】
上記のように雪止め具１を第一枠体２０ａ及び第二枠体２０ｂに保持させることにより、図３（ａ）に示すように、本実施形態の雪止め構造が構築される。すなわち、太陽電池パネルが設置された屋根上に雪止め具１が取り付けられている雪止め構造であって、屋根上に隣接して配されている太陽電池パネルの内、軒側に配されている太陽電池パネルの棟側の端辺を保持している第一枠体２０ａ、及び、棟側に配されている太陽電池パネルの軒側の端辺を保持している第二枠体２０ｂが、それぞれの底面部２３より下方に空隙が形成されるように屋根面に固定されており、雪止め具１は、第一枠体２０ａの上面部２１に当接し第一枠体２０ａに係止されている第一枠係止部１０と、第一枠係止部１０から下方に延出し第一枠体２０ａの側面部２２に当接している第一側壁部１１と、第一側壁部１１の下端から第二枠体２０ｂに向かって延出している基部１２と、基部１２の端部に接続され、第二枠体２０ｂの側面部２２に沿って延出している第二側壁部１３と、第二側壁部１３の下端から第二枠体２０ｂの底面部２３に沿って延出している下端部１４と、第一枠係止部１０から上方に延出している雪止め部１５とを具備する、雪止め構造である。
【００３９】
そして、上記の雪止め構造において、雪止め具１の第二側壁部１３には、その高さ方向の中途の位置で基部１２の端部が接続されており、第二側壁部１３は基部１２の端部から上下方向に向かって第一枠体２０ａの側面部２２に沿って延出している。
【００４０】
ここで、第一枠体２０ａ及び第二枠体２０ｂを、それぞれ底面部２３の下方に空隙が形成されるように屋根面に固定するには、例えば、屋根面に屋根の流れ方向に平行に長尺の桟材４０を並設し、図６に示すように、固定部材３０を介して第一枠体２０ａ及び第二枠体２０ｂを桟材４０に取り付ける。
【００４１】
固定部材３０について、具体的に説明する。固定部材３０は、スペーサ部材３１と押圧部材３２とを具備している。スペーサ部材３１は、桟材４０の上面に載置される一対の脚板部３１ａと、一対の脚板部３１ａの上端を連結している天板部３１ｂとを有している。押圧部材３２は、第一枠体２０ａ及び第二枠体２０ｂの上面部２１にそれぞれ当接する細長い平板状の一対の押圧部３２ａと、一対の押圧部３２ａそれぞれの内側の端部から下方へ直角に延出している一対の立板部３２ｂと、一対の立板部３２ｂを連結している平板状の基板部３２ｃとを有している。また、スペーサ部材３１における天板部３１ｂと、押圧部材３２における基板部３２ｃの中心には、ボルト３４が貫通する貫通孔３１ｃ，３２ｄがそれぞれ設けられている。
【００４２】
このような構成の固定部材３０で第一枠体２０ａ及び第二枠体２０ｂを固定する桟材としては、角形の鋼管で、軸方向に延びるスリット４０ｓが上面に設けられている桟材４０を使用することができる。そして、スリット４０ｓの幅よりも大径の頭部３４ａと、スリット４０ｓの幅よりも小径の雄ネジ部３４ｂを有するボルト３４を倒立させて、スリット４０ｓの端部から挿入し、頭部３４ａがスリット４０ｓの内部に位置し、雄ネジ部３４ｂが桟材４０の上面から上方に延び出している状態とする。この状態のボルト３４を、第一枠体２０ａ及び第二枠体２０ｂを固定部材３０で固定する所望の位置まで、スリット４０ｓに沿ってスライドさせる。
【００４３】
次に、スペーサ部材３１を一対の脚板部３１ａが下方を向いた状態として、天板部３１ｂの貫通孔３１ｃにボルト３４の雄ネジ部３４ｂを下方から挿通し、一対の脚板部３１ａが離隔する方向を桟材４０の軸方向に一致させて、桟材４０の上面に載置する。天板部３１ｂより上方に延び出している雄ネジ部３４ｂにナット３５ａを留め付け、スペーサ部材３１を桟材４０に固定する。この状態において、ボルト３４の雄ネジ部３４ｂはナット３５ａより更に上方まで延び出している。
【００４４】
桟材４０に固定されたスペーサ部材３１の一対の脚板部３１ａのうち、軒側に位置する脚板部３１ａの外側に第一枠体２０ａの側面部２２を当接させながら、太陽電池パネルＰを保持している第一枠体２０ａを桟材４０の上面に載置する。また、棟側に位置する脚板部３１ａの外側に、第二枠体２０ｂの側面部２２を当接させながら、太陽電池パネルＰを保持している第二枠体２０ｂを桟材４０の上面に載置する。次に、基板部３２ｃを下方に向けた押圧部材３２の貫通孔３２ｄに、ナット３５ａより上方に延び出している雄ネジ部３４ｂを下方から挿通する。そして、押圧部材３２の一対の押圧部３２ａの一方を第一枠体２０ａの上面部２１に当接させ、一対の立板部３２ｂの一方を第一枠体２０ａの側面部２２に当接させると共に、押圧部３２ａの他方を第二枠体２０ｂの上面部２１に当接させ、立板部３２ｂの他方を第二枠体２０ｂの側面部２２に当接させる。
【００４５】
この状態で、基板部３２ｃより上方に延び出している雄ネジ部３４ｂにナット３５ｂを留め付ける。これにより、第一枠体２０ａ及び第二枠体２０ｂは押圧部材３２によって上方から押圧されるように桟材４０に固定され、桟材４０と桟材４０の間では、第一枠体２０ａ及び第二枠体２０ｂの底面部２３は桟材４０の高さ分だけ、屋根面より高く位置し、下方に空隙が形成される。
【００４６】
なお、押圧部材３２の一対の立板部３２ｂの間隙を上方から被覆するカバー部材３３を取り付けることにより、貫通孔３１ｃ，３２ｄを介した雨水の浸入を抑制することができる。なお、予めナット３５ａ，３５ｂを雄ネジ部３４ｂに螺合させ、ボルト３４でスペーサ部材３１と押圧部材３２とを仮留めした状態で、ボルト３４を桟材４０のスリット４０ｓに挿入しても良い。
【００４７】
以上のように、第一実施形態の雪止め具１及びこれを使用した雪止め構造では、雪止め具１が第一枠体２０ａ及び第二枠体２０ｂによって保持されているため、太陽電池パネルを屋根上に設置するために第一枠体２０ａ及び第二枠体２０ｂを屋根面に固定するための部材とは無関係に、雪止め具１を屋根上に設置することできる。従って、雪止め具１の設置位置や設置個数を、高い自由度で設定することができる。
【００４８】
雪止め具１からは、第一枠体２０ａ及び第二枠体２０ｂの上面より上方まで雪止め部１５が延出しているため、この雪止め部１５によって太陽電池パネルＰ上の積雪の滑落を抑止することができる。
【００４９】
そして、雪止め具１では第一枠係止部１０が第一枠体２０ａに係止されているが、第一枠係止部１０から下方に延出した第一側壁部１１から、第二枠体２０ｂ側に向かって基部１２が延出しており、更にその先に第二側壁部１３及び下端部１４を有しているため、この部分に作用する重力によって、上部が第二枠体２０ｂ側に傾くように雪止め具１に力が作用するところ、第二枠体２０ｂの側面部２２に沿って延出している第二側壁部１３が第二枠体２０ｂの側面部２２に当接することによって、それ以上の傾きが阻止される。本実施形態の雪止め構造では、第二側壁部１３は第二枠体２０ｂの側面部２２にごく近接して、側面部２２に沿って延びているため、第二側壁部１３が第二枠体２０ｂの側面部２２に当接するまでに雪止め具１は殆ど傾かない。
【００５０】
また、雪止め具１では、基部１２の端部から第二側壁部１３が上下に延出しているため、上部が第二枠体２０ｂ側に傾くように雪止め具１に作用した力を、基部１２及び第二側壁部１３を介して第二枠体２０ｂの側面部２２が受け止め易く、雪止め具１の姿勢をより安定的に維持することができる。
【００５１】
加えて、本実施形態の雪止め具１は、第一枠係止部１０の端部に突起部１７を有しているため、上部が第二枠体２０ｂ側に傾くように雪止め具１が傾いたとき、突起部１７が第一枠体２０ａの上面部２１の端部に引掛かり、これによっても雪止め具１が傾くことが抑止される。従って、雪止め具１は、ビスや釘等で留め付けることを要することなく、第一枠体２０ａ及び第二枠体２０ｂによって安定的に保持される。
【００５２】
一方、雪止め部１５に積雪の荷重がかかった状態では、雪止め具１には上部が第一枠体２０ａ側に傾くように力が作用する。この方向に作用する力に対しては、第一枠体２０ａの側面部２２に当接している第一側壁部１１が抗すると共に、第二枠体２０ｂの底面部２３に沿って延出している下端部１４が底面部２３に当接することによって抗するため、第一枠体２０ａ及び第二枠体２０ｂに保持されている雪止め具１の姿勢が、安定的に維持される。
【００５３】
更に、雪止め具１は、第一枠体２０ａ及び第二枠体２０ｂの間隙に上方から挿入して取り付けることができるため、第一枠体２０ａ及び第二枠体２０ｂが既に屋根上に固定された後であっても、第一枠体２０ａ及び第二枠体２０ｂに保持させることができる。また、第一枠体２０ａ及び第二枠体２０ｂが上記に例示した固定部材３０のような固定部材を介して屋根上に固定されている場合に、固定部材と固定部材との間の位置であっても、第一枠体２０ａ及び第二枠体２０ｂの間隙に上方から挿入することにより、雪止め具１を取り付けることができる。
【００５４】
また、雪止め具１は上端につまみ部１６を有しているため、第一枠体２０ａ及び第二枠体２０ｂの間隙に上方から挿入したり、基線Ｐを回転中心として雪止め具１を回転させたりする操作が容易であり、効率良く雪止め具１を取り付けることができる。
【００５５】
次に、第二実施形態の雪止め具２、及び、雪止め具２を使用した雪止め構造について、図４を用いて説明する。雪止め具２と第一実施形態の雪止め具１とでは、基部の端部に第二側壁部が接続されている態様において相違している。
【００５６】
具体的には、雪止め具２の基部１２ｂの端部は、第二側壁部１３ｂの上端に接続されている。そして、図４（ｂ）に示すように、第一側壁部１１の長さＬ２と第二側壁部１３ｂの長さＮ２との和Ｌ２＋Ｎ２は、第一枠体２０ａ及び第二枠体２０ｂの高さより長く設定され、具体的には僅かに長く（例えば、＋０．５ｍｍ〜＋２ｍｍ）設定されている。加えて、基線Ｐと第二側壁部１３ｂの上端との長さＲ２、すなわち基部１２ｂの長さは、第一枠体２０ａと第二枠体２０ｂとの間の距離より短く設定され、具体的には僅かに短く（例えば、−０．５ｍｍ〜−２ｍｍ）設定されている。
【００５７】
このような構成の雪止め具２も、第一実施形態の雪止め具１と同様に第一枠体２０ａ及び第二枠体２０ｂに取り付けることができ、上記と同様の雪止め構造が構築されるが、その雪止め構造において、雪止め具２の基部１２の端部は第二側壁部１３ｂの上端に接続されており、第二側壁部１３ｂは基部１２ｂの端部から下方に向かって第二枠体２０ｂの側面部２２に沿って延出している（図４（ａ）参照）。
【００５８】
第二実施形態の雪止め具２、及び、これを使用した雪止め構造も、第一実施形態の雪止め具１、及び、これを使用した雪止め構造と同様の作用効果を奏する。なお、雪止め具２では、基線Ｐと第二側壁部１３ｂの上端との長さＲ２は基部１２ｂの長さであるため、第二側壁部１３と第二枠体２０ｂの側面部２２との間に不可避的に間隙が生じる雪止め具１に比べ、更に第二側壁部１３ｂを第二枠体２０ｂの側面部２２に近付けることが可能であり、第二側壁部１３ｂが第二枠体２０ｂの側面部２２にほぼ当接する設定とすることも可能である。
【００５９】
次に、第三実施形態の雪止め具３、及び、雪止め具３を使用した雪止め構造について、図５を用いて説明する。雪止め具３と第一実施形態の雪止め具１及び第二実施形態の雪止め具２とでは、基部の端部に第二側壁部が接続されている態様において相違している。
【００６０】
具体的には、雪止め具３の基部１２ｃの端部は、第二側壁部１３ｃの下端に接続されている。換言すれば、基部１２ｃと下端部１４とは同一面上にある。そして、図５（ｃ）に示すように、第一側壁部１１の長さＬ３は、第一枠体２０ａ及び第二枠体２０ｂの高さより長く設定され、具体的には僅かに長く（例えば、＋０．５ｍｍ〜＋２ｍｍ）設定されている。加えて、基線Ｐと第二側壁部１３ｃの上端との長さＲ３は、第一枠体２０ａと第二枠体２０ｂとの間の距離より短く設定され、具体的には僅かに短く（例えば、−０．５ｍｍ〜−２ｍｍ）設定されている。
【００６１】
このような構成の雪止め具３も、第一実施形態の雪止め具１及び第二実施形態の雪止め具２と同様に第一枠体２０ａ及び第二枠体２０ｂに取り付けることができ、上記と同様の雪止め構造が構築されるが、その雪止め構造において、雪止め具３の基部１２ｃの端部は第二側壁部１３ｃの下端に接続されており、第二側壁部１３ｃは基部１２ｃの端部から上方に向かって第二枠体２０ｂの側面部２２に沿って延出している（図５（ａ）参照）。
【００６２】
ここで、雪止め具３は、雪止め具１，２に比べて第一側壁部１１が長いため、下端部１４が特に長くなくても、取り付け作業の途中で、第一枠体２０ａの側面部２２において上端から距離Ｌ３の位置に基線Ｐが達する前に、第一側壁部１１が第二枠体２０ｂの側面部２２の上端に接してしまい、その角度のままでは雪止め具３を下降させることができないことが生じ易い（図５（ｂ）の実線を参照）。その場合は、雪止め具１の取り付け方法の説明において、付記した方法と同様に、基線Ｐを回転中心として上部が第一枠体２０ａに近づく方向に雪止め具３を回転させながら、第一枠体２０ａの側面部２２に沿って基線Ｐを下方にスライドさせることによって、雪止め具３を第一枠体２０ａ及び第二枠体２０ｂに取り付けることができる（図５（ｂ）の一点鎖線を参照）。
【００６３】
第三実施形態の雪止め具３、及び、これを使用した雪止め構造も、第一実施形態及び第二実施形態の雪止め具１，２、及び、これらをそれぞれ使用した雪止め構造と同様の作用効果を奏する。なお、雪止め具３では、雪止め具１，２に比べて第一側壁部１１が長いため、第一枠体２０ａの側面部２２との接触面積が大きく、雪止め具３の上部を第一枠体２０ａ側に傾ける方向に作用する外力に対して、第一側壁部１１が第一枠体２０ａの側面部２２に当接によって抗する作用が大きい。
【００６４】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００６５】
例えば、上記では、既に屋根上に固定されている第一枠体２０ａ及び第二枠体２０ｂに対して、雪止め具１，２，３を第一枠体２０ａと第二枠体２０との間隙に上方から挿入することにより取り付ける方法を例示したが、これに限定されず、第一枠体及び第二枠体の一方を屋根上に固定した後、雪止め具を配し、この雪止め具を挟み込むように第一枠体及び第二枠体の他方を屋根上に固定することもできる。この場合、取り付け作業中に、雪止め具の第一側壁部及び第二側壁部は側方に開放しているため、ここにビスや釘を打ち込むことにより、雪止め具を枠体に取り付けることも可能である。その場合、ビスや釘を案内する溝や窪みを、第一側壁部及び第二側壁部の一方または双方に設けておいても良い。図１では、ビスや釘の案内に用いることが可能な構成として、第一側壁部１１に設けられた断面Ｖ字形の長溝１８を例示している。
【符号の説明】
【００６６】
１，２，３  雪止め具
１０  第一枠係止部
１１  第一側壁部
１２，１２ｂ，１２ｃ  基部
１３，１３ｂ，１３ｃ  第二側壁部
１４  下端部
１５  雪止め部
１６  つまみ部
２０ａ  第一枠体
２０ｂ  第二枠体
２１  上面部
２２  側面部
２３  底面部
Ｐ  太陽電池パネル
【図１】
2015168941.tif 000003
【図２】
2015168941.tif 000004
【図３】
2015168941.tif 000005
【図４】
2015168941.tif 000006
【図５】
2015168941.tif 000007
【図６】
2015168941.tif 000008